(57)【要約】【課題】  消費電力の低減やリモートコントロール動作の安定化が可能な赤外線リモートコントロール装置を提供する。【解決手段】  赤外線発光ダイオード２１を備え、赤外線発光ダイオード２１を所望の発光パターンで発光させることによりリモートコントロールを行う赤外線リモートコントロール装置３０である。赤外線発光ダイオード２１の電源の電圧を検出する電圧検出手段２３と、電圧検出手段２３により検出される電圧値に応じて赤外線発光ダイオード２１の発光強度を変化させる発光強度変化手段２０を備える。【選択図】    図１
2006311053.tif 000002
【特許請求の範囲】
【請求項１】
赤外線発光ダイオードを備え、前記赤外線発光ダイオードを所望の発光パターンで発光させることによりリモートコントロールを行う赤外線リモートコントロール装置において、
前記赤外線発光ダイオードの発光強度を変化させる発光強度変化手段を備えることを特徴とする赤外線リモートコントロール装置。
【請求項２】
前記赤外線発光ダイオードの電源の電圧を検出する電圧検出手段を更に備え、
前記発光強度変化手段は、前記電圧検出手段により検出される電圧値に応じて、前記赤外線発光ダイオードの発光強度を変化させることを特徴とする請求項１に記載の赤外線リモートコントロール装置。
【請求項３】
前記発光強度変化手段は、前記電圧検出手段により検出される電圧値が比較的高電圧である場合には、前記赤外線発光ダイオードの発光強度を比較的弱くする一方で、前記電圧検出手段により検出される電圧値が比較的低電圧である場合には、前記赤外線発光ダイオードの発光強度を比較的強くすることを特徴とする請求項２に記載の赤外線リモートコントロール装置。
【請求項４】
使用者に操作される操作手段を更に備え、
前記発光強度変化手段は、前記操作手段に対する操作に応じて、前記赤外線発光ダイオードの発光強度を変化させることを特徴とする請求項１に記載の赤外線リモートコントロール装置。
【請求項５】
前記発光強度変化手段は、前記赤外線発光ダイオードの電源から該赤外線発光ダイオードに対して供給される電流を制限する抵抗値を変化させることにより、前記赤外線発光ダイオードの発光強度を変化させることを特徴とする請求項１乃至３の何れか一項に記載の赤外線リモートコントロール装置。
【請求項６】
前記赤外線発光ダイオードの電源と前記赤外線発光ダイオードとの間において、相互に直列に接続された複数の抵抗を備え、これら抵抗のうち選択された抵抗を、前記電源から前記赤外線発光ダイオードに供給される電流の制限用に用いることを特徴とする請求項５に記載の赤外線リモートコントロール装置。
【請求項７】
前記発光強度変化手段は、前記赤外線発光ダイオードの発光強度を、２段階の強度のうちの何れか一方の強度に設定することを特徴とする請求項１乃至６の何れか一項に記載の赤外線リモートコントロール装置。
【請求項８】
前記発光強度変化手段は、前記赤外線発光ダイオードの発光強度の設定を、１つの強度設定用スイッチにより行うことを特徴とする請求項７に記載の赤外線リモートコントロール装置。
【請求項９】
前記強度設定用スイッチはアナログスイッチからなることを特徴とする請求項８に記載の赤外線リモートコントロール装置。
【請求項１０】
前記強度設定用スイッチは電界効果トランジスタからなることを特徴とする請求項８に記載の赤外線リモートコントロール装置。
【請求項１１】
前記発光強度変化手段は、前記赤外線発光ダイオードの発光強度を、３段階以上の強度のうちの何れか１つの強度に設定することを特徴とする請求項１乃至５の何れか一項に記載の赤外線リモートコントロール装置。
【請求項１２】
前記赤外線発光ダイオードを前記所望の発光パターンで発光させるための該赤外線発光ダイオードのオン／オフ切り替えを、１つのオン／オフ切替用スイッチにより行うことを特徴とする請求項１乃至１１の何れか一項に記載の赤外線リモートコントロール装置。
【請求項１３】
前記オン／オフ切替用スイッチはバイポーラトランジスタからなることを特徴とする請求項１２に記載の赤外線リモートコントロール装置。
【請求項１４】
前記オン／オフ切替用スイッチは電界効果トランジスタからなることを特徴とする請求項１２に記載の赤外線リモートコントロール装置。
【請求項１５】
請求項１乃至１４の何れか一項に記載の赤外線リモートコントロール装置を備えることを特徴とする携帯端末装置。
【請求項１６】
当該携帯端末装置は、通信機能を有する携帯通信端末装置であることを特徴とする請求項１５に記載の携帯端末装置。
【請求項１７】
当該携帯端末装置は、携帯電話機であることを特徴とする請求項１６に記載の携帯端末装置。
【請求項１８】
当該携帯端末装置は、情報処理機能を有する携帯情報端末装置であることを特徴とする請求項１５又は１６に記載の携帯端末装置。
【請求項１９】
赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、
前記赤外線発光ダイオードの発光強度を変化させる強度変化過程と、
前記強度変化過程による変化後の発光強度にて前記赤外線発光ダイオードを所望の発光パターンで発光させる過程と、
備えることを特徴とする赤外線発光ダイオードの発光制御方法。
【請求項２０】
赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、
前記赤外線発光ダイオードの電源の電圧を検出する電圧検出過程と、
前記電圧検出過程により検出される電圧値に応じて、前記赤外線発光ダイオードの発光強度を変化させる強度変化過程と、
前記強度変化過程による変化後の発光強度にて前記赤外線発光ダイオードを所望の発光パターンで発光させる過程と、
を備えることを特徴とする赤外線発光ダイオードの発光制御方法。
【請求項２１】
赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、
使用者による操作を検出する操作検出過程と、
前記操作検出過程により検出される操作の種類に応じて、前記赤外線発光ダイオードの発光強度を変化させる強度変化過程と、
前記強度変化過程による変化後の発光強度にて前記赤外線発光ダイオードを所望の発光パターンで発光させる過程と、
を備えることを特徴とする赤外線発光ダイオードの発光制御方法。
【請求項２２】
請求項１９乃至２１の何れか一項に記載の赤外線発光ダイオードの発光制御方法をコンピュータに実行させるためのプログラム。
【発明の詳細な説明】
【技術分野】
【０００１】
本発明は、赤外線リモートコントロール装置、これを備える携帯端末装置、赤外線リモートコントロール装置の赤外線発光ダイオードの発光制御方法、及び、そのプログラムに関する。
【背景技術】
【０００２】
従来、赤外線リモートコントロール装置を備えた携帯電話機が提案されている（例えば、特許文献１、２）。
【０００３】
図１２は従来のこの種の赤外線リモートコントロール装置１０００を示す回路図である。
【０００４】
図１２に示すように、従来の赤外線リモートコントロール装置１０００は、例えば、電源部１００１と、この電源部１００１に対し一端が接続された抵抗Ｒ１００２と、この抵抗Ｒ１００２の他端にアノード端子が接続された赤外線発光ダイオード１００３と、この赤外線発光ダイオード１００３のカソード端子にコレクタ端子が接続され、エミッタ端子がグランドに接続されたトランジスタＴＲ１００４と、このトランジスタＴＲ１００４のベース端子に制御信号を印加する制御部１００５と、を備えて構成されている。
【０００５】
制御部１００５が所定のタイミングでトランジスタＴＲ１００４をオン／オフ制御することにより、赤外線発光ダイオード１００３が所望の発光パターンで発光し、赤外線リモートコントロール動作を行うことができる。
【特許文献１】特開２００３−０７８９７７号公報
【特許文献２】特開２００３−２６４６１２号公報
【発明の開示】
【発明が解決しようとする課題】
【０００６】
ところで、図１２に示す従来の赤外線リモートコントロール装置１０００においては、赤外線発光ダイオード１００３には、抵抗Ｒ１００２により制限された電流が電源部１００１から供給される。
【０００７】
つまり、赤外線発光ダイオード１００３に供給される電流値は、電源部１００１の電圧変化に伴う変化はあるものの、該電流値の設定は一種類のみとなっている。
【０００８】
図１３は電源部１００１の電圧と赤外線発光ダイオード１００３の電流との関係を表す電圧−電流特性を示す図である。
【０００９】
図１３に示す特性のうち、特性（１）は、電源部１００１の電圧が携帯電話機の最低動作電圧まで低下した状態で、赤外線発光ダイオード１００３に流れる電流が必要最低電流（図１３の一点鎖線）となるように、抵抗Ｒ１００２の抵抗値を設定した場合の電圧−電流特性である。なお、最低動作電圧は、携帯電話機における赤外線リモートコントロール装置１０００以外の機能部の動作に最低限必要な電圧を意味する。また、必要最低電流は、赤外線発光ダイオード１００３の発光強度が、赤外線リモートコントロールを行うために最低限必要な値となるような電流値を意味する。
【００１０】
図１３に示す従来の特性（１）の場合、電源部１００１の電圧が高いときには、必要以上の電流が赤外線発光ダイオード１００３に流れてしまう。このため、例えば電池パックなどの二次電池からなる電源部１００１の持続性が悪いという問題があった。
【００１１】
つまり、図１３に示す従来の特性（１）の場合、赤外線発光ダイオード１００３の消費電力が大きいという問題があった。
【００１２】
また、図１３に示す特性のうち、特性（２）は、電源部１００１の電圧が、通常の使用状態における平均的な値のときに、赤外線発光ダイオード１００３に流れる電流が必要最低電流（図１３の一点鎖線）となるように、抵抗Ｒ１００２の抵抗値を設定した場合の電圧−電流特性である。
【００１３】
図１３に示す従来の特性（２）の場合、電源部１００１の電圧が低いときには、赤外線発光ダイオード１００３に流れる電流が必要最低電流を下回るため、該赤外線発光ダイオード１００３の発光強度が不足し、発光の到達距離不足などにより赤外線リモートコントロールを行うことができないという問題があった。
【００１４】
つまり、図１３に示す従来の特性（２）の場合、リモートコントロール動作を安定的に行うことができないという問題があった。
【００１５】
本発明は、上記のような問題点を解決するためになされたもので、消費電力の低減或いはリモートコントロール動作の安定化が可能な赤外線リモートコントロール装置、これを備える携帯端末装置、赤外線リモートコントロール装置の赤外線発光ダイオードの発光制御方法、及び、そのプログラムを提供することを目的とする。
【課題を解決するための手段】
【００１６】
上記課題を解決するため、本発明の赤外線リモートコントロール装置は、赤外線発光ダイオードを備え、前記赤外線発光ダイオードを所望の発光パターンで発光させることによりリモートコントロールを行う赤外線リモートコントロール装置において、前記赤外線発光ダイオードの発光強度を変化させる発光強度変化手段を備えることを特徴としている。
【００１７】
本発明の赤外線リモートコントロール装置においては、前記赤外線発光ダイオードの電源の電圧を検出する電圧検出手段を更に備え、前記発光強度変化手段は、前記電圧検出手段により検出される電圧値に応じて、前記赤外線発光ダイオードの発光強度を変化させることが好ましい。
【００１８】
本発明の赤外線リモートコントロール装置においては、前記発光強度変化手段は、前記電圧検出手段により検出される電圧値が比較的高電圧である場合には、前記赤外線発光ダイオードの発光強度を比較的弱くする一方で、前記電圧検出手段により検出される電圧値が比較的低電圧である場合には、前記赤外線発光ダイオードの発光強度を比較的強くすることが好ましい。
【００１９】
或いは、本発明の赤外線リモートコントロール装置においては、使用者に操作される操作手段を更に備え、前記発光強度変化手段は、前記操作手段に対する操作に応じて、前記赤外線発光ダイオードの発光強度を変化させることも好ましい。
【００２０】
本発明の赤外線リモートコントロール装置においては、前記発光強度変化手段は、前記赤外線発光ダイオードの電源から該赤外線発光ダイオードに対して供給される電流を制限する抵抗値を変化させることにより、前記赤外線発光ダイオードの発光強度を変化させることが好ましい。
【００２１】
本発明の赤外線リモートコントロール装置においては、前記赤外線発光ダイオードの電源と前記赤外線発光ダイオードとの間において、相互に直列に接続された複数の抵抗を備え、これら抵抗のうち選択された抵抗を、前記電源から前記赤外線発光ダイオードに供給される電流の制限用に用いることが好ましい。
【００２２】
本発明の赤外線リモートコントロール装置においては、前記発光強度変化手段は、前記赤外線発光ダイオードの発光強度を、２段階の強度のうちの何れか一方の強度に設定することを好ましい一例としている。
【００２３】
この場合、前記発光強度変化手段は、前記赤外線発光ダイオードの発光強度の設定を、１つの強度設定用スイッチにより行うことが好ましい。
【００２４】
前記強度設定用スイッチは、例えば、アナログスイッチや電界効果トランジスタからなることが挙げられる。
【００２５】
また、本発明の赤外線リモートコントロール装置においては、前記発光強度変化手段は、前記赤外線発光ダイオードの発光強度を、３段階以上の強度のうちの何れか１つの強度に設定することも好ましい。この場合の赤外線発光ダイオードの発光強度を設定する強度設定用スイッチとしても、例えば、アナログスイッチや電界効果トランジスタを適用することができる。
【００２６】
本発明の赤外線リモートコントロール装置においては、前記赤外線発光ダイオードを前記所望の発光パターンで発光させるための該赤外線発光ダイオードのオン／オフ切り替えを、１つのオン／オフ切替用スイッチにより行うことが好ましい。
【００２７】
前記オン／オフ切替用スイッチは、例えば、バイポーラトランジスタや電界効果トランジスタからなることが挙げられる。
【００２８】
また、本発明の携帯端末装置は、本発明の赤外線リモートコントロール装置を備えることを特徴としている。
【００２９】
本発明の携帯端末装置は、通信機能を有する携帯通信端末装置（例えば、携帯電話機）であることを好ましい例とする。
【００３０】
或いは、本発明の携帯端末装置は、情報処理機能を有する携帯情報端末装置であることも好ましい。
【００３１】
また、本発明の赤外線発光ダイオードの発光制御方法は、赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、前記赤外線発光ダイオードの発光強度を変化させる強度変化過程と、前記強度変化過程による変化後の発光強度にて前記赤外線発光ダイオードを所望の発光パターンで発光させる過程と、備えることを特徴としている。
【００３２】
また、本発明の赤外線発光ダイオードの発光制御方法は、赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、前記赤外線発光ダイオードの電源の電圧を検出する電圧検出過程と、前記電圧検出過程により検出される電圧値に応じて、前記赤外線発光ダイオードの発光強度を変化させる強度変化過程と、前記強度変化過程による変化後の発光強度にて前記赤外線発光ダイオードを所望の発光パターンで発光させる過程と、を備えることを特徴としている。
【００３３】
また、本発明の赤外線発光ダイオードの発光制御方法は、赤外線発光ダイオードを備え、前記赤外線発光ダイオードを所望の発光パターンで発光させることによりリモートコントロールを行う赤外線リモートコントロール装置における前記赤外線発光ダイオードの発光を制御する方法であって、使用者による操作を検出する操作検出過程と、前記操作検出過程により検出される操作の種類に応じて、前記赤外線発光ダイオードの発光強度を変化させる強度変化過程と、前記強度変化過程による変化後の発光強度にて前記赤外線発光ダイオードを所望の発光パターンで発光させる過程と、を備えることを特徴としている。
【００３４】
また、本発明のプログラムは、赤外線発光ダイオードの発光制御方法をコンピュータに実行させるためのプログラムであることを特徴としている。
【発明の効果】
【００３５】
本発明によれば、赤外線リモートコントロール装置の消費電力を低減したり、或いは、リモートコントロール動作を確実に安定的に行えるようにしたりすることができる。
【発明を実施するための最良の形態】
【００３６】
以下、図面を参照して、本発明に係る実施形態について説明する。
【００３７】
〔第１の実施形態〕
図１は第１の実施形態に係る携帯電話機１００の構成を示すブロック図である。
【００３８】
図１に示すように、第１の実施形態に係る携帯電話機（携帯端末装置、携帯通信端末装置）１００は、例えば複数の操作キーからなり使用者により操作される操作部１１と、例えば液晶表示装置からなり各種の表示動作を行う表示部１２と、無線通信を行う無線部１３と、発音動作を行う発音部（スピーカ）１４と、受話動作を行う受話部（マイク）１５と、各種の制御動作を行う制御部２０と、当該携帯電話機１００の電源である電源部２２と、このうち電源部（電源）２２及び制御部（発光強度変化手段）２０を含んで構成された赤外線リモートコントロール部（赤外線リモートコントロール装置）３０と、を備えて構成されている。
【００３９】
無線部１３は、図示しないアンテナを備え、このアンテナにより外部（例えば、無線基地局など）との間で無線信号を送受信する。
【００４０】
また、無線部１３は、受信した無線信号を復調し、制御部２０に入力する。
【００４１】
制御部２０は、無線部１３からの信号に基づいて、例えば、発音部１４に対して発音動作（通話の際の相手方の音声の発音動作など）を行わせたり、表示部１２に対して表示動作（通話中である旨を示す表示動作など）を行わせたりする。
【００４２】
また、無線部１３は、（受話部１５からの音声入力に基づき生成される）制御部２０からの音声信号や制御部２０からの制御信号を変調し無線信号に変えて、該無線信号をアンテナより外部に対して送信する。
【００４３】
携帯電話機１００は、このように無線部１３を介して無線通信を行うことにより、通話、電子メールの送受信、インターネット接続といった通信機能を実行することが可能となっている。
【００４４】
制御部２０は、例えば、表示部１２、無線部１３、発音部１４などの動作制御を含む各種の制御動作を行うＣＰＵと、このＣＰＵにより実行される各種の制御プログラム（プログラム）を記憶したＲＯＭ（記録媒体）と、ＣＰＵの作業領域などとして機能するＲＡＭと、を備えて構成されている。制御部２０の動作はＲＯＭに格納されている制御プログラムに従って行われる。
【００４５】
また、赤外線リモートコントロール部３０は、制御部（発光強度変化手段）２０及び電源部（電源）２２の他に、赤外線を発光する赤外線ＬＥＤ（赤外線発光ダイオード）２１と、この赤外線ＬＥＤ２１のオン／オフ切り替え動作を制御部２０の制御下で行うオン／オフ切替用トランジスタ（オン／オフ切替用スイッチ）ＴＲ１と、電源部２２から赤外線ＬＥＤ２１に供給される電流を制限する第１及び第２の抵抗（抵抗）Ｒ１、Ｒ２と、電源部２２から赤外線ＬＥＤ２１に供給される電流を制限する抵抗値の切り替えを行う抵抗値切替用アナログスイッチ（強度設定用スイッチ）ＡＳＷ１と、電源部２２から供給される電圧の値を検出する電圧検出部（電圧検出手段）２３と、を備えて構成されている。
【００４６】
電源部２２は、例えば電池パックなどの充電可能な二次電池であり、例えば、電圧検出部２３を介して制御部２０に電源を供給する。なお、制御部２０は、電源部２２から供給される電源を表示部１２，無線部１３，発音部１４などに供給する。
【００４７】
また、電源部２２は、第１及び第２の抵抗Ｒ１、Ｒ２の双方を介して、或いは、第１の抵抗Ｒ１のみを介して、赤外線ＬＥＤ２１に対しても電源を供給する。
【００４８】
第１の抵抗Ｒ１は、その一方の端子が電源部２２に接続されている。第１の抵抗Ｒ１の他方の端子は第２の抵抗Ｒ２の一方の端子に接続されている。
【００４９】
第２の抵抗Ｒ２の他方の端子は、赤外線ＬＥＤ２１のアノード端子に接続されている。
【００５０】
また、赤外線ＬＥＤ２１のカソード端子は、オン／オフ切替用トランジスタＴＲ１のコレクタ端子に接続されている。
【００５１】
オン／オフ切替用トランジスタＴＲ１のベース端子は制御部２０に接続され、エミッタ端子はグランドに接続されている。
【００５２】
なお、本実施形態の場合、オン／オフ切替用トランジスタＴＲ１は、例えば、バイポーラ型のＮチャネルトランジスタからなる。
【００５３】
このオン／オフ切替用トランジスタＴＲ１がオン状態となると、赤外線発光ＬＥＤ２１には電源部２２から電流が供給され、該赤外線発光ＬＥＤ２１が発光する。
【００５４】
従って、制御部２０がオン／オフ切替用トランジスタＴＲ１を所望のタイミングでオン／オフさせることにより、赤外線発光ＬＥＤ２１が所望の発光パターンで発光する。このような赤外線発光ＬＥＤ２１の発光は、該発光の被照射機器（図示略）に対する制御信号として機能する。つまり、赤外線発光ＬＥＤ２１の発光の被照射機器は、該発光を受信することにより、リモートコントロールされる。
【００５５】
なお、リモートコントロールのための赤外線発光ＬＥＤ２１の発光の契機、すなわち、オン／オフ切替用トランジスタＴＲ１のオン／オフ切り替えの契機は、例えば、制御部２０が操作部１１に対するリモートコントロール操作を検出することであることが挙げられる。
【００５６】
また、抵抗値切替用アナログスイッチＡＳＷ１の制御端子は、制御部２０に接続されている。
【００５７】
更に、抵抗値切替用アナログスイッチＡＳＷ１の他の２つの端子のうち、一方の端子は、第１の抵抗Ｒ１と第２の抵抗Ｒ２との接続点に対して接続され、他方の端子は、第２の抵抗Ｒ２と赤外線ＬＥＤ２１のカソード端子との接続点に対して接続されている。
【００５８】
電圧検出部２３は、電源部２２及び制御部２０へそれぞれ接続され、電源部２２の電圧を検出した検出結果を制御部２０に対して出力する。
【００５９】
制御部２０は、電圧検出部２３による検出結果（電源部２２の電圧値）と、予め設定された基準値とを比較し、該比較結果に応じて、抵抗値切替用アナログスイッチＡＳＷ１をオン又はオフする。
【００６０】
すなわち、制御部２０は、電圧検出部２３による検出結果が、予め設定された基準値よりも高電圧である場合には、抵抗値切替用アナログスイッチＡＳＷ１をオフする一方で、予め設定された基準値よりも高電圧ではない場合（予め設定された基準値以下の場合）には、抵抗値切替用アナログスイッチＡＳＷ１をオンする。
【００６１】
抵抗値切替用アナログスイッチＡＳＷ１がオフの場合には、電源部２２から赤外線ＬＥＤ２１への供給電流は、第１及び第２の抵抗Ｒ１，Ｒ２の双方により制限される。よって、赤外線ＬＥＤ２１の電流が小さめになり、該赤外線ＬＥＤ２１の発光強度が弱めになる。つまり、抵抗値切替用アナログスイッチＡＳＷ１がオフの場合に、例えば、制御部２０が操作部１１に対するリモートコントロール操作を検出するなどの契機が生ずると、制御部２０は、弱めの発光強度にて、赤外線ＬＥＤ２１を所望の発光パターンで発光させる。
【００６２】
他方、抵抗値切替用アナログスイッチＡＳＷ１がオンの場合には、第２の抵抗Ｒ２の両端子間が相互に接続されるので、電源部２２から赤外線ＬＥＤ２１への供給電流は、第１及び第２の抵抗Ｒ１，Ｒ２のうち第１の抵抗Ｒ１のみにより制限される。よって、赤外線ＬＥＤ２１の電流が大きめになり、該赤外線ＬＥＤ２１の発光強度が強めになる。つまり、抵抗値切替用アナログスイッチＡＳＷ１がオンの場合に、例えば、制御部２０が操作部１１に対するリモートコントロール操作を検出するなどの契機が生ずると、制御部２０は、強めの発光強度にて、赤外線ＬＥＤ２１を所望の発光パターンで発光させる。
【００６３】
このように、制御部２０は、電圧検出部２３により検出される電圧値が基準値以下の場合（比較的低電圧である場合）には、赤外線ＬＥＤ２１の発光強度を強くする一方で、電圧検出部２３により検出される電圧値が基準値よりも高電圧である場合（比較的高電圧である場合）には、赤外線ＬＥＤ２１の発光強度を弱くする。
【００６４】
また、このように、制御部２０は、赤外線ＬＥＤ２１の電源である電源部２２から該赤外線ＬＥＤ２１に対して供給される電流を制限する抵抗値を変化させることにより、該赤外線ＬＥＤ２１の発光強度を変化させる。
【００６５】
また、このように、赤外線リモートコントロール部３０は、赤外線ＬＥＤ２１の電源である電源部２２と赤外線ＬＥＤ２１との間において、相互に直列に接続された複数の抵抗Ｒ１、Ｒ２を備え、これら抵抗Ｒ１、Ｒ２のうち選択された抵抗（例えば、第１及び第２の抵抗の双方、又は、第１の抵抗Ｒ１のみ）を、電源部２２赤外線ＬＥＤ２１に供給される電流の制限用に用いる。
【００６６】
また、このように、制御部２０は、赤外線ＬＥＤ２１の発光強度を、２段階の強度のうちの何れか一方の強度に設定する。
【００６７】
また、このように、制御部２０は、赤外線ＬＥＤ２１の発光強度の設定を、１つの抵抗値切替用アナログスイッチ（強度設定用スイッチ）ＡＳＷ１のオン／オフ切り替えにより行う。
【００６８】
また、このように、赤外線ＬＥＤ２１を所望の発光パターンで発光させるための該赤外線ＬＥＤ２１のオン／オフ切り替えを、１つのオン／オフ切替用トランジスタ（オン／オフ切替用スイッチ）ＴＲ１により行う。
【００６９】
このように、赤外線リモートコントロール部３０においては、制御部２０がオン／オフ切替用トランジスタＴＲ１及び抵抗値切替用アナログスイッチＡＳＷ１をオン／オフすることによって、所望の電流を赤外線ＬＥＤ２１に印加し、該赤外線ＬＥＤ２１の発光制御を行う。なお、赤外線ＬＥＤ２１の電流とその発光強度とは比例の関係にある。
【００７０】
次に、動作を説明する。
【００７１】
図２は、電源部２２の電圧と赤外線ＬＥＤ２１に流れる電流との関係を表す電圧−電流特性を示す図である。
【００７２】
オン／オフ切替用トランジスタＴＲ１がオン状態で且つ抵抗値切替用アナログスイッチＡＳＷ１がオフ状態の場合、赤外線ＬＥＤ２１は、電源部２２から供給され第１及び第２の抵抗Ｒ１、Ｒ２により制限された電流にて発光する。このときの電圧−電流特性は図２のＡ−Ｂ（点Ａと点Ｂとを結ぶ直線）のようになる。
【００７３】
他方、オン／オフ切替用トランジスタＴＲ１がオン状態で且つ抵抗値切替用アナログスイッチＡＳＷ１がオン状態の場合、赤外線ＬＥＤ２１は、電源部２２から供給され第１の抵抗Ｒ１により制限された電流にて発光する。このときの電圧−電流特性は図２のＡ−Ｃ（点Ａと点Ｃとを結ぶ直線）のようになる。
【００７４】
なお、オン／オフ切替用トランジスタＴＲ１がオフ状態の場合、赤外線ＬＥＤ２１は発光しない。
【００７５】
図３は、電源部２２の電圧に応じた赤外線ＬＥＤ２１の発光制御特性を示す図である。
【００７６】
図３に示すように、電源部２２の電圧が基準値Ｇよりも高い場合には（図３のＢ−Ｄ間）、制御部２０は抵抗値切替用アナログスイッチＡＳＷ１をオフする。この場合に、リモートコントロールのための赤外線発光ＬＥＤ２１の発光の契機が生ずると、制御部２０は、弱めの発光強度にて、赤外線ＬＥＤ２１を所望の発光パターンで発光させる。つまり、この場合、赤外線ＬＥＤ２１に流れる電流は第１及び第２の抵抗Ｒ１、Ｒ２により制限されるので、赤外線ＬＥＤ２１の消費電力が抑制される。
【００７７】
他方、電源部２２の電圧が基準値Ｇよりも高くはない場合（基準値Ｇ以下の場合）には（図３のＥ−Ｆ間）、制御部２０は抵抗値切替用アナログスイッチＡＳＷ１をオンする。この場合に、リモートコントロールのための赤外線発光ＬＥＤ２１の発光の契機が生ずると、制御部２０は、強めの発光強度にて、赤外線ＬＥＤ２１を所望の発光パターンで発光させる。つまり、この場合、赤外線ＬＥＤ２１に流れる電流は第１及び第２の抵抗Ｒ１、Ｒ２のうち第１の抵抗Ｒ１のみにより制限されるので、電源部２２の電圧が低くても赤外線ＬＥＤ２１に流れる電流値が十分な値となり、該赤外線ＬＥＤ２１の十分な発光強度が確保できる。
【００７８】
このように、電源部２２の電圧に応じて抵抗値切替用アナログスイッチＡＳＷ１を制御することにより、赤外線ＬＥＤ２１の発光時の電流を変化させ、その発光強度を切り替えることが可能となる。
【００７９】
以上のような第１の実施形態によれば、電源部２２の電圧が高い場合には、赤外線ＬＥＤ２１の電流を小さめに切り替えるので、赤外線ＬＥＤ２１の最大電流を低く抑えることができる。よって、携帯電話機１００の低消費電力化が可能となる。
【００８０】
また、電源部２２の電圧が低い場合には、赤外線ＬＥＤ２１の電流を大きめに切り替えるので、赤外線ＬＥＤ２１の十分な発光強度が確保でき、所望のリモートコントロール動作を確実に安定的に行うことができる。
【００８１】
〔第２の実施形態〕
図４は第２の実施形態に係る携帯電話機（携帯端末装置、携帯通信端末装置：全体図示略）が備える赤外線リモートコントロール部（赤外線リモートコントロール装置）２００の構成を示す回路図である。
【００８２】
図４に示すように、本実施形態の場合の赤外線リモートコントロール部２００は、バイポーラ型のオン／オフ切替用トランジスタＴＲ１（図１）に代えてＦＥＴ（電界効果トランジスタ）からなるオン／オフ切替用トランジスタ（オン／オフ切替用スイッチ）ＴＲ２０１を備える点でのみ、上記の第１の実施形態の場合の赤外線リモートコントロール部３０（図１）と相違し、その他の点では上記の第１の実施形態の場合の赤外線リモートコントロール部３０と同様に構成されている。
【００８３】
よって、本実施形態の場合の赤外線リモートコントロール部２００の各構成要素のうち、上記の第１の実施形態の場合の赤外線リモートコントロール部３０におけるのと同様の構成要素には同一の符号を付し、その説明を省略する。
【００８４】
本実施形態の場合、オン／オフ切替用トランジスタＴＲ２０１の各端子のうち、ゲート端子は制御部２０に、ドレイン端子は赤外線ＬＥＤ２１のカソード端子に、ソース端子はグランドに、それぞれ接続されている。
【００８５】
そして、オン／オフ切替用トランジスタＴＲ２０１は、上記の第１の実施形態におけるオン／オフ切替用トランジスタＴＲ１と同様に、制御部２０によりオン／オフ制御され、赤外線ＬＥＤ２１のオン／オフ切り替えを行う。
【００８６】
なお、本実施形態の場合も、携帯電話機のその他の構成は、上記の第１の実施形態と同様である。
【００８７】
第２の実施形態によれば、第１の実施形態と同様の効果が得られる。
【００８８】
〔第３の実施形態〕
図５は第３の実施形態に係る携帯電話機（携帯端末装置、携帯通信端末装置：全体図示略）が備える赤外線リモートコントロール部３００の構成を示す回路図である。
【００８９】
図５に示すように、本実施形態の場合の赤外線リモートコントロール部３００は、Ｎチャネル型のオン／オフ切替用トランジスタＴＲ１（図１）に代えてＰチャネル型のオン／オフ切替用トランジスタ（オン／オフ切替用スイッチ、バイポーラトランジスタ）ＴＲ３０１を備える点でのみ、上記の第１の実施形態の場合の赤外線リモートコントロール部３０（図１）と相違し、その他の点では上記の第１の実施形態の場合の赤外線リモートコントロール部３０と同様に構成されている。
【００９０】
よって、本実施形態の場合の赤外線リモートコントロール部３００の各構成要素のうち、上記の第１の実施形態の場合の赤外線リモートコントロール部３０におけるのと同様の構成要素には同一の符号を付し、その説明を省略する。
【００９１】
本実施形態の場合、オン／オフ切替用トランジスタＴＲ３０１は、電源部２２と第１の抵抗Ｒ１との間に接続されている。
【００９２】
すなわち、オン／オフ切替用トランジスタＴＲ３０１の各端子のうち、コレクタ端子は電源部２２に、エミッタ端子は第１の抵抗Ｒ１の一方の端子に、ベース端子は制御部２０に、それぞれ接続されている。
【００９３】
また、赤外線ＬＥＤ２１のカソード端子はグランドに接続されている。
【００９４】
本実施形態の場合、オン／オフ切替用トランジスタＴＲ３０１は、上記の第１の実施形態におけるオン／オフ切替用トランジスタＴＲ１と同様に、制御部２０によりオン／オフ制御され、赤外線ＬＥＤ２１のオン／オフ切り替えを行う。
【００９５】
なお、本実施形態の場合も、携帯電話機のその他の構成は、上記の第１の実施形態と同様である。
【００９６】
第３の実施形態によれば、第１の実施形態と同様の効果が得られる。
【００９７】
〔第４の実施形態〕
図６は第４の実施形態に係る携帯電話機（携帯端末装置、携帯通信端末装置：全体図示略）が備える赤外線リモートコントロール部４００の構成を示す回路図である。
【００９８】
図６に示すように、本実施形態の場合の赤外線リモートコントロール部４００は、抵抗値切替用アナログスイッチＡＳＷ１（図１）に代えて、ＦＥＴ（電界効果トランジスタ）からなる抵抗値切替用スイッチ（強度設定用スイッチ）４０１を備える点でのみ、上記の第１の実施形態の場合の赤外線リモートコントロール部３０（図１）と相違し、その他の点では上記の第１の実施形態の場合の赤外線リモートコントロール部３０と同様に構成されている。
【００９９】
よって、本実施形態の場合の赤外線リモートコントロール部４００の各構成要素のうち、上記の第１の実施形態の場合の赤外線リモートコントロール部３０におけるのと同様の構成要素には同一の符号を付し、その説明を省略する。
【０１００】
本実施形態の場合、抵抗値切替用スイッチ４０１の各端子のうち、ゲート端子は制御部２０に、ドレイン端子は第１の抵抗Ｒ１と第２の抵抗Ｒ２との接続点に、ソース端子は第２の抵抗Ｒ２と赤外線ＬＥＤ２１のアノード端子との接続点に、それぞれ接続されている。
【０１０１】
そして、抵抗値切替用スイッチ４０１は、上記の第１の実施形態における抵抗値切替用アナログスイッチＡＳＷ１と同様に、制御部２０によりオン／オフ制御され、赤外線ＬＥＤ２１の発光強度の切り替えを行う。
【０１０２】
なお、本実施形態の場合も、携帯電話機のその他の構成は、上記の第１の実施形態と同様である。
【０１０３】
第４の実施形態によれば、第１の実施形態と同様の効果が得られる。
【０１０４】
〔第５の実施形態〕
上記の第１の実施形態では、赤外線ＬＥＤ２１の発光強度を２段階の強度のうちの何れか一方の強度に設定する例を説明したが、第５の実施形態では、赤外線ＬＥＤ２１の発光強度を３段階の強度のうちの何れか１つの強度に設定可能な例について説明する。
【０１０５】
図７は第５の実施形態に係る携帯電話機（携帯端末装置、携帯通信端末装置：全体図示略）が備える赤外線リモートコントロール部（赤外線リモートコントロール装置）５００の構成を示す回路図である。
【０１０６】
図７に示すように、本実施形態の場合の赤外線リモートコントロール部５００は、第２の抵抗値切替用アナログスイッチＡＳＷ２及び第３の抵抗Ｒ３を追加で備える点でのみ、上記の第１の実施形態の場合の赤外線リモートコントロール部３０（図１）と相違し、その他の点では上記の第１の実施形態の場合の赤外線リモートコントロール部３０と同様に構成されている。
【０１０７】
よって、本実施形態の場合の赤外線リモートコントロール部５００の各構成要素のうち、上記の第１の実施形態の場合の赤外線リモートコントロール部３０におけるのと同様の構成要素には同一の符号を付し、その説明を省略する。
【０１０８】
本実施形態の場合、第２の抵抗Ｒ２の両端子のうち、第１の抵抗Ｒ１に接続されているのとは反対側の端子は、赤外線ＬＥＤ２１のアノード端子には接続されておらず、第３の抵抗Ｒ３の一方の端子に接続されている。
【０１０９】
そして、第３の抵抗Ｒ３の他方の端子が、赤外線ＬＥＤ２１のアノード端子に接続されている。
【０１１０】
また、本実施形態の場合、抵抗値切替用アナログスイッチＡＳＷ１の制御端子が制御部２０に接続され、抵抗値切替用アナログスイッチＡＳＷ１の他の２つの端子のうちの一方の端子が第１の抵抗Ｒ１と第２の抵抗Ｒ２との接続点に対して接続されている点は、上記の第１の実施形態と同様であるが、該抵抗値切替用アナログスイッチＡＳＷ１の残りの１つの端子は、第３の抵抗Ｒ３と赤外線ＬＥＤ２１のアノード端子との接続点に対して接続されている。
【０１１１】
また、本実施形態の場合、第２の抵抗値切替用アナログスイッチＡＳＷ２の制御端子は、制御部２０に接続され、該第２の抵抗値切替用アナログスイッチＡＳＷ２の他の２つの端子のうち、一方の端子は、第２の抵抗Ｒ２と第３の抵抗Ｒ３との接続点に対して接続され、他方の端子は、第３の抵抗Ｒ３と赤外線ＬＥＤ２１のアノード端子との接続点に対して接続されている。
【０１１２】
また、本実施形態の場合、制御部２０は、電圧検出部２３による検出結果（電源部２２の電圧値）と、予め設定された第１及び第２の基準値（第１の基準値＞第２の基準値）とを比較し、該比較結果に応じて、抵抗値切替用アナログスイッチＡＳＷ１及び第２の抵抗値切替用アナログスイッチＡＳＷ２を個別にオン又はオフする。
【０１１３】
すなわち、制御部２０は、電圧検出部２３による検出結果が、予め設定された第１の基準値よりも高電圧である場合には、抵抗値切替用アナログスイッチＡＳＷ１及び第２の抵抗値切替用アナログスイッチＡＳＷ２をそれぞれオフする。
【０１１４】
また、電圧検出部２３による検出結果が、予め設定された第１の基準値よりも高電圧ではなく（予め設定された第１の基準値以下）、且つ、予め設定された第２の基準値よりも高電圧である場合には、抵抗値切替用アナログスイッチＡＳＷ１はオフにする一方で、第２の抵抗値切替用アナログスイッチＡＳＷ２はオンにする。
【０１１５】
また、電圧検出部２３による検出結果が、予め設定された第２の基準値よりも高電圧ではない場合（予め設定された第２の基準値以下の場合）には、抵抗値切替用アナログスイッチＡＳＷ１はオンにする一方で、第２の抵抗値切替用アナログスイッチＡＳＷ２はオフにする。
【０１１６】
抵抗値切替用アナログスイッチＡＳＷ１及び第２の抵抗値切替用アナログスイッチＡＳＷ２をそれぞれオフの場合には、電源部２２から赤外線ＬＥＤ２１への供給電流は、第１、第２及び第３の抵抗Ｒ１，Ｒ２，Ｒ３により制限される。よって、赤外線ＬＥＤ２１の電流が最も小さめになり、該赤外線ＬＥＤ２１の発光強度が最も弱めになる。
【０１１７】
また、抵抗値切替用アナログスイッチＡＳＷ１がオフで第２の抵抗値切替用アナログスイッチＡＳＷ２がオンの場合には、第３の抵抗Ｒ３の両端子間が相互に接続されるので、電源部２２から赤外線ＬＥＤ２１への供給電流は、第１、第２及び第３の抵抗Ｒ１，Ｒ２，Ｒ３のうち、第１及び第２の抵抗Ｒ１、Ｒ２により制限される。よって、赤外線ＬＥＤ２１の電流は中程度になり、該赤外線ＬＥＤ２１の発光強度も中程度になる。
【０１１８】
また、抵抗値切替用アナログスイッチＡＳＷ１がオンで第２の抵抗値切替用アナログスイッチＡＳＷ２がオフの場合には、第１の抵抗Ｒ１と第２の抵抗Ｒ２との接続点と、第３の抵抗Ｒ３と赤外線ＬＥＤ２１のカソード端子との接続点とが相互に接続されるので、電源部２２から赤外線ＬＥＤ２１への供給電流は、第１及び第２の抵抗Ｒ１，Ｒ２のうち第１の抵抗Ｒ１のみにより制限される。よって、赤外線ＬＥＤ２１の電流が最も大きめになり、該赤外線ＬＥＤ２１の発光強度が最も強めになる。
【０１１９】
このように、本実施形態の場合、制御部２０は、赤外線ＬＥＤ２１の発光強度を、３段階の強度のうちの何れか一方の強度に設定する。
【０１２０】
なお、本実施形態の場合も、携帯電話機のその他の構成は、上記の第１の実施形態と同様である。
【０１２１】
次に、動作を説明する。
【０１２２】
図８は、電源部２２の電圧と赤外線ＬＥＤ２１に流れる電流との関係を表す電圧−電流特性を示す図である。
【０１２３】
オン／オフ切替用トランジスタＴＲ１がオン状態で、且つ、抵抗値切替用アナログスイッチＡＳＷ１及び第２の抵抗値切替用アナログスイッチＡＳＷ２がそれぞれオフ状態の場合、赤外線ＬＥＤ２１は、電源部２２から供給され第１、第２及び第３の抵抗Ｒ１、Ｒ２、Ｒ３により制限された電流にて発光する。このときの電圧−電流特性は図８のＡ−Ｈ（点Ａと点Ｈとを結ぶ直線）のようになる。
【０１２４】
また、オン／オフ切替用トランジスタＴＲ１がオン状態で、且つ、抵抗値切替用アナログスイッチＡＳＷ１がオフ状態、第２の抵抗値切替用アナログスイッチＡＳＷ２がオン状態の場合、赤外線ＬＥＤ２１は、電源部２２から供給され第１及び第２の抵抗Ｒ１、Ｒ２により制限された電流にて発光する。このときの電圧−電流特性は図８のＡ−Ｂ（点Ａと点Ｂとを結ぶ直線）のようになる。
【０１２５】
また、オン／オフ切替用トランジスタＴＲ１がオン状態で、且つ、抵抗値切替用アナログスイッチＡＳＷ１がオン状態、第２の抵抗値切替用アナログスイッチＡＳＷ２がオフ状態の場合、赤外線ＬＥＤ２１は、電源部２２から供給され第１の抵抗Ｒ１により制限された電流にて発光する。このときの電圧−電流特性は図８のＡ−Ｃ（点Ａと点Ｃとを結ぶ直線）のようになる。
【０１２６】
なお、オン／オフ切替用トランジスタＴＲ１がオフ状態の場合、赤外線ＬＥＤ２１は発光しない。
【０１２７】
図９は、電源部２２の電圧に応じた赤外線ＬＥＤ２１の発光制御特性を示す図である。
【０１２８】
図９に示すように、電源部２２の電圧が第１の基準値Ｉよりも高い場合には（図９のＨ−Ｊ間）、制御部２０は抵抗値切替用アナログスイッチＡＳＷ１及び第２の抵抗値切替用アナログスイッチＡＳＷ２をそれぞれオフする。この場合に、リモートコントロールのための赤外線発光ＬＥＤ２１の発光の契機が生ずると、制御部２０は、最も弱めの発光強度にて、赤外線ＬＥＤ２１を所望の発光パターンで発光させる。つまり、この場合、赤外線ＬＥＤ２１に流れる電流は第１、第２及び第３の抵抗Ｒ１、Ｒ２、Ｒ３により制限されるので、赤外線ＬＥＤ２１の消費電力が最も抑制される。
【０１２９】
また、電源部２２の電圧が第１の基準値Ｉよりも高くはなく（第１の基準値Ｉ以下で）第２の基準値Ｇ（第２の基準値Ｇ＜第１の基準値Ｉ）よりも高い場合には（図９のＫ−Ｄ間）、制御部２０は抵抗値切替用アナログスイッチＡＳＷ１をオフ、第２の抵抗値切替用アナログスイッチＡＳＷ２をオンにする。この場合に、リモートコントロールのための赤外線発光ＬＥＤ２１の発光の契機が生ずると、制御部２０は、中程度の発光強度にて、赤外線ＬＥＤ２１を所望の発光パターンで発光させる。つまり、この場合、赤外線ＬＥＤ２１に流れる電流は第１及び第２の抵抗Ｒ１、Ｒ２により制限されるので、電源部２２の電圧が図９のＨ−Ｊ間よりも低くても赤外線ＬＥＤ２１に流れる電流値が十分な値となり、該赤外線ＬＥＤ２１の十分な発光強度が確保できる。また、電源部２２の電圧が図９のＥ−Ｆ間の場合と比べると赤外線ＬＥＤ２１の消費電力が抑制される。
【０１３０】
また、電源部２２の電圧が第２の基準値Ｇよりも高くはない場合（第２の基準値Ｇ以下の場合）には（図９のＥ−Ｆ間）、制御部２０は抵抗値切替用アナログスイッチＡＳＷ１をオン、第２の抵抗値切替用アナログスイッチＡＳＷ２をオフにする。この場合に、リモートコントロールのための赤外線発光ＬＥＤ２１の発光の契機が生ずると、制御部は、最も強めの発光強度にて、赤外線ＬＥＤ２１を所望の発光パターンで発光させる。つまり、この場合、赤外線ＬＥＤ２１に流れる電流は第１、第２及び第３の抵抗Ｒ１、Ｒ２、Ｒ３のうち第１の抵抗Ｒ１のみにより制限されるので、電源部２２の電圧が図９のＫ−Ｄ間よりも低くても赤外線ＬＥＤ２１に流れる電流値が十分な値となり、該赤外線ＬＥＤ２１の十分な発光強度が確保できる。
【０１３１】
以上のような第５の実施形態によれば、上記の第１の実施形態と同様の効果が得られる。
【０１３２】
また、赤外線ＬＥＤ２１の発光強度を３段階の強度のうちの何れか１つの強度に設定するので、より好適に携帯電話機１００の低消費電力化が可能となる。
【０１３３】
なお、上記の第５の実施形態では、赤外線ＬＥＤ２１の発光強度を３段階の強度のうちの何れか１つの強度に設定可能な例について説明したが、本発明はこの例に限らず、赤外線ＬＥＤ２１の発光強度を４段階以上の強度のうちの何れか１つの強度に設定可能であるように赤外線リモートコントロール部を構成しても良い。すなわち、第５の実施形態では、赤外線ＬＥＤ２１への供給電流を制限する抵抗が３つであり、赤外線ＬＥＤ２１の発光強度を切り替えるアナログスイッチが２つである例を説明したが、このアナログスイッチや抵抗の数を適宜に増加させることにより、切り替え可能な発光強度の段階数を増加させることができる。
【０１３４】
〔第６の実施形態〕
図１０は第６の実施形態に係る携帯電話機（携帯端末装置、携帯通信端末装置：全体図示略）が備える赤外線リモートコントロール部６００の構成を示す回路図である。
【０１３５】
図１０に示すように、本実施形態の場合の赤外線リモートコントロール部６００は、電圧検出部２３（図１）を備えていない代わりに、操作部（操作手段）１１（図１）を含んで構成されている。
【０１３６】
なお、本実施形態の場合の赤外線リモートコントロール部６００は、その他の点では上記の第１の実施形態の場合の赤外線リモートコントロール部３０と同様に構成されているため、本実施形態の場合の赤外線リモートコントロール部６００の各構成要素のうち、上記の第１の実施形態の場合の赤外線リモートコントロール部３０におけるのと同様の構成要素には同一の符号を付し、その説明を省略する。
【０１３７】
本実施形態の場合、制御部２０は、操作部１１に対する操作に応じて、抵抗値切替用アナログスイッチＡＳＷ１をオン又はオフし、赤外線ＬＥＤ２１の発光強度を変化させる。
【０１３８】
すなわち、制御部２０は、赤外線発光強度の増加を要求する旨の操作を操作部１１が受け付けた場合に、抵抗値切替用アナログスイッチＡＳＷ１をオンし、赤外線ＬＥＤ２１の発光強度を変化させる。
【０１３９】
なお、制御部２０は、例えば、赤外線発光強度の増加を要求する旨の操作を操作部１１が受け付けた後、所定時間（例えば、１５秒間）が経過した場合には、抵抗値切替用アナログスイッチＡＳＷ１を再びオフにする。
【０１４０】
また、本実施形態の場合も、携帯電話機のその他の構成は、上記の第１の実施形態と同様である。
【０１４１】
次に、動作を説明する。
【０１４２】
図１１は、本実施形態の場合の赤外線ＬＥＤ２１の発光制御特性を示す図である。
【０１４３】
通常の設定では、抵抗値切替用アナログスイッチＡＳＷ１はオフであり、電圧−電流特性は図１１のＤ−Ｂ（点Ｄと点Ｂとを結ぶ直線）である。
【０１４４】
この設定にて被照射機器への距離が遠くリモコン機能が動作しないような場合、携帯電話機の使用者は、赤外線発光強度の増加を要求する旨の操作を操作部１１に対して行う。
【０１４５】
すると、この操作を制御部２０が検知し、抵抗値切替用アナログスイッチＡＳＷ１をオンさせ、図１１のＬ点からＭ点のように一時的に（例えば、１５秒間の間だけ）赤外線ＬＥＤ２１への電流を増加させることが可能となる。
【０１４６】
これにより、赤外線ＬＥＤ２１の発光強度も増加し、リモートコントロール動作を確実に安定的に行うことができる。
【０１４７】
以上のような第６の実施形態によれば、使用者の操作に応じて赤外線ＬＥＤ２１の電流を大きめに切り替えるので、必要に応じて赤外線ＬＥＤ２１の十分な発光強度を確保することができ、所望のリモートコントロール動作を確実に安定的に行うことができる。
【０１４８】
なお、上記の各実施形態では、赤外線リモートコントロール部（赤外線リモートコントロール装置）を備える携帯端末装置として、携帯電話機を例示したが、本発明はこの例に限らず、例えば、携帯電話機以外の携帯通信端末装置（例えば、ＰＨＳ（Ｐｅｒｓｏｎａｌ  Ｈａｎｄｙ  Ｐｈｏｎｅ  Ｓｙｓｔｅｍ）など）や、或いは、ＰＤＡ：Ｐｅｒｓｏｎａｌ  Ｄｉｇｉｔａｌ  Ａｓｓｉｓｔａｎｔ）やノート型パーソナルコンピュータなどの（情報処理機能を有する）携帯情報端末装置にも同様に適用することが可能である。
【０１４９】
また、上記の第２の実施形態で説明したように、バイポーラ型のオン／オフ切替用トランジスタＴＲ１に代えてＦＥＴ（電界効果トランジスタ）からなるオン／オフ切替用トランジスタ（オン／オフ切替用スイッチ）ＴＲ２０１（図４）を備える構成は、上記の第４の実施形態（図６）、第５の実施形態（図７）及び第６の実施形態（図１０）にも同様に適用可能である。
【０１５０】
また、上記の第３の実施形態で説明したように、Ｎチャネル型のオン／オフ切替用トランジスタＴＲ１に代えてＰチャネル型のオン／オフ切替用トランジスタ（オン／オフ切替用スイッチ、バイポーラトランジスタ）ＴＲ３０１（図５）を備える構成は、上記の第４の実施形態（図６）、第５の実施形態（図７）及び第６の実施形態（図１０）にも同様に適用可能である。
【０１５１】
また、上記の第４の実施形態で説明したように、抵抗値切替用アナログスイッチＡＳＷ１に代えて、ＦＥＴ（電界効果トランジスタ）からなる抵抗値切替用スイッチ（強度設定用スイッチ）４０１（図６）を備える構成は、上記の第２の実施形態（図４）、第３の実施形態（図５）及び第６の実施形態（図１０）にも同様に適用可能である。同様に、第５の実施形態（図７）の場合、抵抗値切替用アナログスイッチＡＳＷ１及び第２の抵抗値切替用アナログスイッチＡＳＷ２のうちの一方或いは両方を、ＦＥＴからなる抵抗値切替用スイッチに代えることができる。
【０１５２】
また、上記の第５の実施形態で説明したように、赤外線ＬＥＤ２１の発光強度を３段階或いはそれ以上の段階数の強度のうちの何れか１つの強度に設定可能な構成は、上記の第２の実施形態（図４）、第３の実施形態（図５）、第４の実施形態（図６）及び第６の実施形態（図１０）にも同様に適用可能である。
【０１５３】
また、上記の第６の実施形態で説明したように、操作部１１に対する操作に応じて抵抗値切替用アナログスイッチＡＳＷ１をオン又はオフする構成は、上記の第２の実施形態（図４）、第３の実施形態（図５）及び第４の実施形態（図６）にも同様に適用可能である。同様に、第５の実施形態（図７）の場合、操作部１１に対する操作に応じて抵抗値切替用アナログスイッチＡＳＷ１及び第２の抵抗値切替用アナログスイッチＡＳＷ２を個別にオン又はオフする構成とすることができる。
【図面の簡単な説明】
【０１５４】
【図１】第１の実施形態に係る携帯電話機の構成を示すブロック図である。
【図２】図１の携帯電話機における電源部の電圧と赤外線ＬＥＤに流れる電流との関係を示す図である。
【図３】図１の携帯電話機における電源部の電圧に応じた赤外線ＬＥＤの発光制御特性を示す図である。
【図４】第２の実施形態に係る携帯電話機が備える赤外線リモートコントロール部の構成を示す回路図である。
【図５】第３の実施形態に係る携帯電話機が備える赤外線リモートコントロール部の構成を示す回路図である。
【図６】第４の実施形態に係る携帯電話機が備える赤外線リモートコントロール部の構成を示す回路図である。
【図７】第５の実施形態に係る携帯電話機が備える赤外線リモートコントロール部の構成を示す回路図である。
【図８】図７の赤外線リモートコントロール部における電源部の電圧と赤外線ＬＥＤに流れる電流との関係を示す図である。
【図９】図７の赤外線リモートコントロール部における電源部の電圧に応じた赤外線ＬＥＤの発光制御特性を示す図である。
【図１０】第６の実施形態に係る携帯電話機が備える赤外線リモートコントロール部の構成を示す回路図である。
【図１１】図１０の赤外線リモートコントロール部における赤外線ＬＥＤの発光制御特性を示す図である。
【図１２】従来の携帯電話機が備える赤外線リモートコントロール部の構成を示す回路図である。
【図１３】図１２の赤外線リモートコントロール部における電源部の電圧と赤外線発光ダイオードの電流との関係を示す図である。
【符号の説明】
【０１５５】
２０  制御部（発光強度変化手段）
２１  赤外線ＬＥＤ（赤外線発光ダイオード）
３０  赤外線リモートコントロール部（赤外線リモートコントロール装置）
ＡＳＷ１  抵抗値切替用アナログスイッチ（強度設定用スイッチ、アナログスイッチ）
２２  電源部（電源）
２３  電圧検出部（電圧検出手段）
Ｒ１  第１の抵抗（抵抗）
Ｒ２  第２の抵抗（抵抗）
ＴＲ１  オン／オフ切替用トランジスタ（オン／オフ切替用スイッチ、バイポーラトランジスタ）
１００  携帯電話機（携帯端末装置、携帯通信端末装置）
操作手段
２００  赤外線リモートコントロール部（赤外線リモートコントロール装置）
ＴＲ２０１  オン／オフ切替用トランジスタ（オン／オフ切替用スイッチ、電界効果トランジスタ）
３００  赤外線リモートコントロール部（赤外線リモートコントロール装置）
ＴＲ３０１  オン／オフ切替用トランジスタ（オン／オフ切替用スイッチ、バイポーラトランジスタ）
４００  赤外線リモートコントロール部（赤外線リモートコントロール装置）
４０１  抵抗値切替用スイッチ（強度設定用スイッチ、電界効果トランジスタ）
５００  赤外線リモートコントロール部（赤外線リモートコントロール装置）
Ｒ３  第３の抵抗（抵抗）
ＡＳＷ２  第２の抵抗値切替用アナログスイッチ（強度設定用スイッチ、アナログスイッチ）
６００  赤外線リモートコントロール部（赤外線リモートコントロール装置）
１１    操作部（操作手段）
【図１】
2006311053.tif 000003
【図２】
2006311053.tif 000004
【図３】
2006311053.tif 000005
【図４】
2006311053.tif 000006
【図５】
2006311053.tif 000007
【図６】
2006311053.tif 000008
【図７】
2006311053.tif 000009
【図８】
2006311053.tif 000010
【図９】
2006311053.tif 000011
【図１０】
2006311053.tif 000012
【図１１】
2006311053.tif 000013
【図１２】
2006311053.tif 000014
【図１３】
2006311053.tif 000015